(57)【要約】【課題】生体計測の部位や計測位置を解剖学的な見地から正しく定義し、繰り返し計測の位置再現性を迅速、簡便かつ正確に得ること。【解決手段】本発明の計測装置によれば、計測器具の周囲に取り付けられるスケールの目盛りを使い、同一の被検体の同一部位を繰り返し計測する際の計測器具の設定位置の再現性、または、複数の被検体間で同じ部位を数多く計測する時の客観的な計測器具の位置情報を、迅速、簡便、かつ正確に得ることができる。また、この計測手段となるスケールを脱着可能にしたことで、被検体の感じる煩わしさを軽減できる。【選択図】      図１
2004357899.tif 000002
【特許請求の範囲】
【請求項１】
被検体を計測するための計測器具を搭載した計測器具保持装置を上記被検体上に配置した状態で保持可能な計測装置において、上記計測器具または上記計測計測器具保持装置から上記被検体上の各部位までの距離を任意の方向に測定可能な距離目盛りつきのスケールを少なくとも一つ備え、上記スケールには上記計測器具または上記計測器具保持装置への着脱を可能とする接続部が含まれることを特徴とする計測装置。
【請求項２】
上記スケールまたは上記計測器具保持装置上にはさらに角度目盛りが記され、上記ひとつの計測器具の周囲に上記スケールを複数個接続した際のこれら複数のスケール同士の交差角度または上記計測器具保持装置上に上記スケールを接続した際の上記ホルダと上記スケールの交差角度が上記角度目盛りにより確認可能なことを特徴とする請求項１に記載の計測装置。
【請求項３】
上記計測器具は生体光計測用プローブであることを特徴とする請求項１または２に記載の計測装置。
【発明の詳細な説明】
【０００１】
【発明の属する技術分野】
本発明は、被検体に計測器具を取り付けて計測を行う計測装置に関する。特に、被検体への計測器具の取り付けを容易化できる計測装置に関する。
【０００２】
【従来の技術】
被検体の頭部計測のために使用する計測器具は、たとえば［特許文献１］に開示される。この開示によれば、計測器具はヘッドバンド状のものに装着して被検体上の計測すべき部位に固定される。計測は通常いくつかの位置において行われるが、最適の計測位置が見つかりその位置を反復して計測する場合には位置の再現性を持たせる工夫が必要であった。［特許文献１］では、固定を強化する方法で位置ずれを防止する手法として、顎までベルトを通して固定する方法や、空気バッグ式のヘルメットを開示している。
【０００３】
計測を連続して行う場合には、上述のように固定を強化し位置ずれを防止するのは有効であるが、手術などの治療の経過を観察する等の目的で、同一の部位を繰り返し計測したり、また、多くの被検体の同一部位を計測し、計測データを統計的に評価する使用法もある。このように、一度計測器具を外し、その後再度装着する場合や後日再度計測しなくてはならないような場合には、計測すべき位置の再現は困難である。
さらに、計測器具は他の被検体にも使用するものであるため、以前に位置合わせをした状態の再現はさらに困難となっていた。
【０００４】
また、［特許文献２］には、生体光計測器具を被検者の頭部に固定するためシェルと呼ばれる部品を使用する際、熱可塑性樹脂を用いることを開示する。これによれば、熱可塑性樹脂を個々の生体の頭部形状に合わせて成型し、繰り返し計測を行う際に、位置の再現性を高めることができる。
しかし、熱可塑性樹脂の成型には時間がかかるため、いつでも誰に対しても簡易に計測を行えるという生体光計測装置の特長を損なってしまう。
【０００５】
【特許文献１】
特開平２００２−１４３１７０号公報
【特許文献２】
特開平９−１４９９０３号公報
【０００６】
また、複数の被検体間で同じ部位を数多く計測するニーズもあり、この場合の被検体間の測定部位はある基準がなければ特定できなかった。
【０００７】
【発明が解決しようとする課題】
本発明ではこのような従来技術の問題点を解決して、  生体計測の部位や計測位置を解剖学的な見地から正しく定義し、繰り返し計測の位置再現性を迅速、簡便かつ正確に得る。具体的には、手軽に確実に被検体頭部への計測器具の位置合わせの再現性向上を可能とする。
また、本発明では複数の被検体頭部の測定部位決定を容易とする基準を提供する。
また、さらに計測器具の位置決めおよび装着の際に被検体が煩わしいと感じる時間を極力短縮可能とする。
【０００８】
【課題を解決するための手段】
本発明の第１の特徴によれば、被検体を計測するための計測器具を搭載した計測器具保持装置を上記被検体上に配置した状態で保持可能な計測装置において、上記計測器具または上記計測計測器具保持装置から上記被検体上の各部位までの距離を任意の方向に測定可能な距離目盛りつきのスケールを少なくとも一つ備え、上記スケールには上記計測器具または上記計測器具保持装置への着脱を可能とする接続部が含まれる計測装置を提供する。
【０００９】
本発明の第２の特徴によれば、上記スケールまたは上記計測器具保持装置上にはさらに角度目盛りが記され、上記ひとつの計測器具の周囲に上記スケールを複数個接続した際のこれら複数のスケール同士の交差角度または上記計測器具保持装置上に上記スケールを接続した際の上記ホルダと上記スケールの交差角度が上記角度目盛りにより確認可能な計測装置を提供する。
【００１０】
本発明の第３の特徴によれば、上記計測器具は生体光計測用プローブである。
【００１１】
【発明の実施の形態】
以下に本発明による一実施例を説明する。
図１に、本発明を実現するスケールを取り付けた照射部を生体に取り付けた例を示す。図中、１は計測器具保持装置、２は計測器具、２１と２２は計測位置、３は上記被検体の耳、４は第１のスケール、５は第１のスケールの可動方向、６は第２のスケール、７は第２のスケールの可動方向、８は接続部、９は第１および第２のスケール４および６上の切り欠き、１０は第一および第２のスケール４および６上の切り込み、１１は第１および第２のスケール４および６上の目盛り、１２は被検体の頭部をそれぞれ示す。
【００１２】
図１では、複数の計測位置２１と２２のそれぞれに第１のスケール４と第２のスケール６の計測器具装着部８を同軸に位置合わせして、それぞれ第１のスケールの可動方向５と第２のスケールの可動方向７に回転可能に装着する。これらスケールには切り欠き９が施してあるため。計測器具のケーブルは切り欠き９を経由させて接続部８に通すことができるので、取り外し、回転、取り付ける計測位置の変更が容易である。スケールによる位置決定後すぐに計測を行う場合には、計測器具のケーブルをスケールの切り欠き９経由でくぐらせてすぐに取り外しが可能であり、計測が迅速におこなえる。
【００１３】
図３は外耳の構造を示したものである。図中、３１は耳輪、３１１は耳介結節、３１２は耳輪脚、３１３は対輪、３１４は耳垂、３１５は対珠、３１６は珠間切痕、３１７は耳珠、３２は耳甲介窩、３３は舟状窩、３４は耳甲介腔、３５は三角窩、３６は外耳道である。
【００１４】
たとえば２つの計測位置２１と２２から被検体の目や耳３の各部までの距離を第１のスケール４と第２のスケール６上の目盛り１１で計測する。例えば耳の各部を使用して位置を計測する場合は、外耳道３６のような穴や対珠３１５、珠間切痕３１６、耳介結節３１１などのＶ字状部の突端を計測するとより正確に位置を特定できる。あるいは、目の各部を使用して計測する場合は、目尻を計測するとより正確に位置を特定できる。上述のように計測して値を記録しておけば、その記録に基づいて計測器具の位置の再現をすることが可能となる。
【００１５】
たとえば、第２のスケール６の計測位置２２から耳珠３１７までの距離が８０ｍｍで、同じく耳介結節３１１までは７５ｍｍ。第１のスケール４の計測位置２１から耳介結節３１１まで３５ｍｍの場合、これら３個所の計測により計測位置２１と２２は一意に決まり、次に同じ測定位置を再現する際に第２のスケール６の計測位置２２から耳珠３１７までの距離が８０ｍｍで、同じく耳介結節３１１までは７５ｍｍ。第１のスケールの計測位置４の計測位置２１から耳介結節３１１まで３５ｍｍになるように計測器具の位置を決めることで、同じ位置の再現が可能になる。
【００１６】
ここで、第１のスケール４と第２のスケール６について説明する。これらスケールは柔軟性があるものが望ましい。柔軟性が必要な理由は頭部のような曲面上でも距離測定を正確化して再現性を向上するためである。透明性のあるスケールがより望ましい。このようにすることで、計測対象を見やすくし、被検体の耳３や目の位置の計測や位置合わせが極めて容易になる。
【００１７】
なお、上記ではスケールが２本である場合を説明したが、スケールの本数は１本以上であればよい。また、３箇所を位置合わせする場合を説明したが、２箇所の位置合わせでもよく、この場合スケール２本以上を相互に固定しておくことで迅速に位置合わせが可能となる。
【００１８】
例えば、生体光計測装置で計測する主な対象となる言語野は図４のとおりで、目じりと耳珠３１７との距離を一辺の長さとする正三角形１３のひとつの頂点１４であることが知られている。そこで、計測位置から目じり及び耳珠３１７への距離ｄを測っておき、図５のようにシェルの計測器具保持装置１上の計測すべき位置からの距離がｄとなるようにスケールを用いてセットする。生体光計測の場合には、上記計測位置は発光用の計測器具と受光用の計測器具との中間であるため、計測器具保持装置１上の計測位置に対応する部分にスケール用の取り付け部２３を設けておく。またこの取り付け部２３を起点として、スケールの計測器具保持装置１に対する角度を表示する角度目盛りを設けておくことで、上記の正三角形の一角に対応する６０度を設定可能である。角度目盛りは６０度のほかに必要に応じて細かく表示すれば様様な配置が可能である。
【００１９】
また、計測すべき位置上に直接に計測器具を配置する場合は、計測器具の周囲にスケール４と６を装着し、これらの間にはお互いの交差角度がわかるような角度目盛りを示すことができる。たとえば２本のスケールの接続部８である挿入穴に上記ひとつの計測器具を挿通させた状態で２本が６０度で交差するときには、一方のスケールが他方のスケール側部に露出する部分に線を引き示すことで角度目盛りとすることができる。このような方法により上記した正三角形を再現して計測器具の配置を一意に決定可能である。
【００２０】
また、図６のように計測器具保持装置を複数用意することもある。この場合、スケール４を計測器具保持装置１上の２４の位置などにつけて、別の計測器具保持装置までの距離を測定できる。これにより計測器具の位置の左右の対称性も得られる。
【００２１】
【発明の効果】
本発明によれば、計測環境や被検体の様子を選ばずに、簡易に測定出来るという、本装置本来の特長を損なうことなく、同一の被検体の同一部位を繰り返し計測する時の位置の再現性、または、複数の被検体間で同じ部位を数多く計測する時の客観的な位置情報を、迅速、簡便に、かつ正確に得るということができる。また、位置情報として、被検体表面の任意の点からの距離を得ることが出来る。
また、位置は手軽に計測可能であり、その後、すぐに、生体光計測を行うことが出来る。
また、スケールを脱着可能にしたことで、被検体が感じる計測器具の位置合わせ時の煩わしさを軽減出来る。
【図面の簡単な説明】
【図１】本発明の一実施形態による計測装置示す図。
【図２】本発明の一実施形態による脱着可能なスケール仕様の概念図。
【図３】被検者の耳の各部を示した図。
【図４】本発明の他の実施形態による言語野と頭部各部の位置関係を示す図。
【図５】上記図４の言語野の位置を出す方法を説明した図。
【図６】本発明の他の実施形態によるシェル間距離の測定方法を示した図。
【符号の説明】
１    計測器具保持装置、２    計測器具、３  耳、４  第１のスケール、５  第１のスケールの可動方向、６  第２のスケール、７  第２のスケールの可動方向、８  接続部、９  切り欠き、１０  切り込み、１１  目盛り保持装置、１２  被検体、１３  正三角形、１４  頂点、２１，  ２２，  ２４  計測位置、２３  取り付け部、３１  耳輪、３１１  耳介結節、３１２  耳輪脚、３１３  対輪、３１４  耳垂、３１５  対珠、３１６  珠間切痕、３１７耳珠、３２  耳甲介窩、３３  舟状窩、３４  耳甲介腔、３５  三角窩、３６  外耳道、ｄ  目じりと耳珠３１７の距離
【図１】
2004357899.tif 000003
【図２】
2004357899.tif 000004
【図３】
2004357899.tif 000005
【図４】
2004357899.tif 000006
【図５】
2004357899.tif 000007
【図６】
2004357899.tif 000008